(57)【特許請求の範囲】
【請求項１】
バッテリモジュールと該バッテリモジュールを他の電気部品と接続するジャンクションボックスとをケース内に収納して車体の左右のリヤサイドフレーム間に該車体の左右のリヤサイドフレーム間に架設した前後のクロスメンバで支持して配設するバッテリパックとエンジンの燃料系部品とを車体後部に備えたハイブリッド車であって、
上記バッテリモジュールの前方に、該バッテリモジュールの高さより低く形成した上記ジャンクションボックスを、上記バッテリモジュールの上面位置と上記ジャンクションボックスの上面位置とが略同じ高さになるように上記ケース内に配設し、上記ケースの底部を上記バッテリモジュールの下面と上記ジャンクションボックスの下面に沿って形成し、上記ジャンクションボックスの下方で上記ケースの外側に形成される空間部に上記エンジンの燃料系部品を配設し、該エンジンの燃料系部品を上記バッテリパックの前方下側に位置させて、上記エンジンの燃料系部品を、上記バッテリパック内のバッテリモジュールと、上記車体の左右のリヤサイドフレームと、上記前後のクロスメンバで保護したことを特徴とするハイブリッド車。
【請求項２】
上記バッテリパックの上記ケースと上記エンジンの燃料系部品との間にはリヤフロアパネルを介装したことを特徴とした請求項１記載のハイブリッド車。
【発明の詳細な説明】
【技術分野】
【０００１】
本発明は、バッテリモジュールとジャンクションボックスとをケース内に収納して車体の左右のリヤサイドフレーム間に配設するバッテリパックとエンジンの燃料系部品とを車体後部に備えたハイブリッド車に関する。
【背景技術】
【０００２】
近年、エンジンと電動モータを駆動源とする様々な方式のハイブリッド車が多く実用化されている。このようなハイブリッド車では、バッテリモジュールや高電圧機器を車体後部に配設する構造を採るものが多く、リヤフロア上に少なくともバッテリを含む高電圧機器をレイアウトする場合、燃料系部品との位置関係が不適切だと衝突等で車両が破壊された場合、燃料系部品が損傷して、燃料漏れ等の発生が懸念される。そこで、例えば、特許第４３１９２３９号公報（以下、特許文献１）では、フロアパネルの下方に配置された燃料タンクの直後方であって、左右のリヤサイドフレームに挟まれた荷室の床下に、少なくともバッテリモジュールを含む電装部品を収納するケースを配置し、ケースの左右一側にキャニスタを配置したハイブリッド車において、キャニスタをリヤサイドフレームの左右方向外端よりも内側で、かつケースの後端よりも前方に配置した技術が開示されている。
【先行技術文献】
【特許文献】
【０００３】
【特許文献１】特許第４３１９２３９号公報
【発明の概要】
【発明が解決しようとする課題】
【０００４】
上述の特許文献１に開示されるハイブリッド車によれば、車両が側突されたときにはリヤサイドフレームでケースおよびキャニスタを保護し、車両が後突されたときにはケースでキャニスタおよび燃料タンクを保護することができる。しかしながら、キャニスタ等のエンジンの燃料系部品は、ケースの側方に位置されるため、衝突によっては、これらが損傷されて燃料漏れ等を生じる虞があり、より安全なレイアウトが望まれる。
【０００５】
本発明は上記事情に鑑みてなされたもので、スペース効率に優れ、後突に対しても側突に対してもエンジンの燃料系部品の損傷を確実に防止し、安全性を極めて向上させることができるハイブリッド車を提供することを目的とする。
【課題を解決するための手段】
【０００６】
本発明のハイブリッド車の一態様は、バッテリモジュールと該バッテリモジュールを他の電気部品と接続するジャンクションボックスとをケース内に収納して車体の左右のリヤサイドフレーム間に該車体の左右のリヤサイドフレーム間に架設した前後のクロスメンバで支持して配設するバッテリパックとエンジンの燃料系部品とを車体後部に備えたハイブリッド車であって、上記バッテリモジュールの前方に、該バッテリモジュールの高さより低く形成した上記ジャンクションボックスを、上記バッテリモジュールの上面位置と上記ジャンクションボックスの上面位置とが略同じ高さになるように上記ケース内に配設し、上記ケースの底部を上記バッテリモジュールの下面と上記ジャンクションボックスの下面に沿って形成し、上記ジャンクションボックスの下方で上記ケースの外側に形成される空間部に上記エンジンの燃料系部品を配設し、該エンジンの燃料系部品を上記バッテリパックの前方下側に位置させて、上記エンジンの燃料系部品を、上記バッテリパック内のバッテリモジュールと、上記車体の左右のリヤサイドフレームと、上記前後のクロスメンバで保護した。
【発明の効果】
【０００７】
本発明によるハイブリッド車によれば、スペース効率に優れ、後突に対しても側突に対してもエンジンの燃料系部品の損傷を確実に防止し、安全性を極めて向上させることが可能となる。
【図面の簡単な説明】
【０００８】
【図１】本発明の実施の一形態による、車両後方のラゲッジルーム下方のバッテリパックの配置を示す上面図である。
【図２】図１のＡ−Ａ’断面説明図である。
【発明を実施するための形態】
【０００９】
以下、図面に基づいて本発明の実施の形態を説明する。  
これらの図において、符号１は、ハイブリッド車のバッテリパックを示し、このバッテリパック１は、車体の左側のリヤサイドフレーム２Ｌと右側のリヤサイドフレーム２Ｒの間の前後にクロスメンバ３Ｆ、３Ｒを架設して、この前側のクロスメンバ３Ｆと後側のクロスメンバ３Ｒの間に吊り下げ支持されている。
【００１０】
バッテリパック１は、バッテリモジュール１１とジャンクションボックス１２と、これらバッテリモジュール１１とジャンクションボックス１２とを格納するケース１３とから構成されている。
【００１１】
バッテリモジュール１１は、例えば、複数の電池セルを積層して構成されている。
【００１２】
また、ジャンクションボックス１２は、バッテリモジュール１１を、ＤＣ−ＤＣコンバータやインバータ等の他の電気部品４と接続し、バッテリの高電圧回路を制御するリレー、バッテリの総電圧と充放電電流を検知する各種センサ、高電圧回路を遮断するサービスプラグ等を搭載して構成されており、高さ寸法が、バッテリモジュール１１の高さ寸法よりも低く形成されている。
【００１３】
ケース１３は、上方が開口された箱形の容器部１３ａと、該容器部１３ａの上方開口部を閉塞する蓋部１３ｂとで構成されており、容器部１３ａの前後の縁部と蓋部１３ｂの前後の縁部は、それぞれ前後に延出して形成され、前後のクロスメンバ３Ｆ、３Ｒにボルト等により共締めされるように構成されている。
【００１４】
容器部１３ａの底の前方部分は、内部に突出した浅底の段状に形成されており、これにより、容器部１３ａの底の前方部分の外側と容器部１３ａの底の後方部分の外側の前端面の間に、空間部１３ｃが形成されている。そして、ケース１３内には、蓋部１３ｂの裏側（容器内部側）でバッテリモジュール１１の上面位置とジャンクションボックス１２の上面位置とが略同じ高さになるように、容器部１３ａの底と蓋部１３ｂの裏側との間に、バッテリモジュール１１の前方にジャンクションボックス１２を固定して収納されている。
【００１５】
バッテリパック１の下方には、車両のリヤフロアパネル５が、バッテリパック１の外側形状に沿うように設けられており、これにより、バッテリパック１の空間部１３ｃにより、リヤフロアパネル５の下部にスペース５ａが確保され、このスペース５ａにハイブリッド車のエンジンのキャニスタやフィルタ等の燃料系部品６が配設されている。
【００１６】
以上のように、バッテリモジュール１１と該バッテリモジュール１１を他の電気部品４と接続するジャンクションボックス１２とをケース１３内に収納して車体の左右のリヤサイドフレーム２Ｌ、２Ｒ間に配設するバッテリパック１とエンジンの燃料系部品６とを車体後部に備えたハイブリッド車で、バッテリモジュール１１の前方に、該バッテリモジュール１１の高さより低く形成したジャンクションボックス１２を、バッテリモジュール１１の上面位置とジャンクションボックス１３の上面位置とが略同じ高さになるようにケース１３内に配設し、ケース１３の底部をバッテリモジュール１１の下面とジャンクションボックス１２の下面に沿って形成し、ジャンクションボックス１２の下方でケース１３の外側に形成される空間部１３ｃにエンジンの燃料系部品６を配設した。
【００１７】
このため、エンジンの燃料系部品６は、バッテリパック１の前方下側に位置されるので、バッテリパック１、及び、バッテリパック１内のバッテリモジュール１１、および、これらを取り付けている車体の左右のリヤサイドフレーム２Ｌ、２Ｒや、前後のクロスメンバ３Ｆ、３Ｒ等に保護されることになり、また、車体の後部や側面からも距離を離れた位置に取り付けることができるので、後突はもちろん、側突に対しても損傷する虞が極めて少なくできる。また、バッテリパック１とエンジンの燃料系部品６とは、リヤフロアパネル５を介して配設されるため、振動等が違いに干渉することも防止でき、また、たとえ一方が損傷するようなことがあっても他方に影響することが確実に防止でき、安全性を向上させることができる。更に、バッテリパック１の前方部分の下に形成される空間部１３ｃを有効利用してエンジンの燃料系部品６を配設するため、スペース効率に優れている。
【符号の説明】
【００１８】
１    バッテリパック
２Ｌ、２Ｒ  リヤサイドフレーム
３Ｆ、３Ｒ  クロスメンバ
５    リヤフロアパネル
５ａ  スペース
６    燃料系部品
１１    バッテリモジュール
１２    ジャンクションボックス
１３    ケース
１３ａ  容器部
１３ｂ  蓋部
１３ｃ  空間部
【図１】
0005997468.tif 000002
【図２】
0005997468.tif 000003